(57)【要約】【課題】携帯し易いすり鉢形状の娯楽道具を提供する。【解決手段】娯楽道具１は、底部２と側壁部３とが一体形成されてなる。底部２の底面は、円形に形成されている。また、底部２が、側壁部３より硬く形成されている。側壁部３は、底部２の底面の外周縁４から立ち上がるように上方に延出されている。また、側壁部３は弾性材であって、その形状が可変自在である。また、一体形成された底部２と側壁部３との内面５には、すり鉢状に凹凸６が形成されている。【選択図】図１
2008200456.tif 000002
【特許請求の範囲】
【請求項１】
底部と側壁部とからなるすり鉢形状の娯楽道具であって、
少なくとも側壁部には弾性材が含まれ、その形状が可変自在であることを特徴とするすり鉢形状の娯楽道具。
【請求項２】
前記底部は、側壁部より硬く形成されたことを特徴とする請求項１に記載のすり鉢形状の娯楽道具。
【請求項３】
前記底部と前記側壁部とは同一材料からなることを特徴とする請求項１または２に記載のすり鉢形状の娯楽道具。
【発明の詳細な説明】
【技術分野】
【０００１】  本発明は、すり鉢を対象とする娯楽道具に関する。
【背景技術】
【０００２】  従来、すり鉢は、調理器具の一つであり、内側に目（凹凸）を刻んだ土製の鉢である。このすり鉢は、擂り粉木を用いて食物をすりつぶすものである（例えば、特許文献１ご参照）。
【特許文献１】  特開２００１−３４６７０２号公報
【発明の開示】
【発明が解決しようとする課題】
【０００３】  ところで、このすり鉢で擂り粉木を用いてゴマをすると内側の四方にゴマがこびりつくことから、「あちこちの人にへつらって自分の利益を計ること」という意味の「ごますり」という言葉がある。【０００４】  そこで、実際に「ごますり」を具体的に表現する場合、すり鉢を携帯する必要があり、このすり鉢を常に持ち歩くことは容易なことではない。また、すり鉢を見せた状態で持ち歩くことは、相手に「ごまをする」ことを知られてしまう。【０００５】  例えば、実際に「ごますり」を表現する場所として、宴会場などの「ごまをする」相手が集まる場所が挙げられる。【０００６】  この宴会場においては、通常、すり鉢を隠す場所が少なく、また、手荷物としては大きいため、「ごまをする」相手だけにすり鉢を使って実際に「ごますり」をして楽しませることはむずかしい。【０００７】  そこで、上記課題を解決するために、本発明は、携帯し易いすり鉢形状の娯楽道具を提供することを目的とする。
【課題を解決するための手段】
【０００８】  上記の目的を達成するため、本発明にかかるすり鉢形状の娯楽道具は、底部と側壁部とからなるすり鉢形状の娯楽道具であって、少なくとも側壁部には弾性材が含まれ、その形状が可変自在であることを特徴とするものである。【０００９】  本発明によれば、少なくとも側壁部には弾性材が含まれ、その形状が可変自在であるので、当該娯楽道具の形状を可変させたとしても、その可変状態を解放することで、もとの形状にもどすことが可能となる。そのため、当該娯楽道具を小型化して携帯することが可能となる。【００１０】  前記構成において、前記底部は、側壁部より硬く形成されてもよい。【００１１】  この場合、前記底部は、側壁部より硬く形成されるので、実際に当該すり鉢形状の娯楽道具を用いて「ごまをする」際に、ゴマをすっているような音声を発することが可能となる。また、硬く形成された底部の位置により直視せずに当該娯楽道具の配置状態を理解することが可能となる。【００１２】  前記構成において、前記底部と前記側壁部とは同一材料からなってもよい。【００１３】  この場合、前記底部と前記側壁部とは同一材料からなるので、当該娯楽道具を製造する際、底部と側壁部との接着強度を強化させることが可能となる。
【発明の効果】
【００１４】  本発明によれば、携帯し易いすり鉢形状の娯楽道具を提供することが可能となる。
【発明を実施するための最良の形態】
【００１５】  以下、本発明の実施の形態について図面を参照して説明する。【００１６】  本実施の形態にかかるすり鉢形状の娯楽道具１（以下、娯楽道具という）は、図１〜４に示すように、底部２と側壁部３とが一体形成されてなる。この娯楽道具１は、弾性材である塩化ビニルを用いて成型されている。【００１７】  底部２の底面は、図４に示すように、円形に形成されている。また、底部２が、側壁部３より硬く形成されている（図１，３，４に示す領域２Ａ参照）。【００１８】  側壁部３は、底部２の底面の外周縁４から立ち上がるように上方に延出されている。また、側壁部３は弾性材であって、その形状が可変自在である。【００１９】  また、一体形成された底部２と側壁部３との内面５には、図１，２に示すようにすり鉢状に凹凸６が形成されている。【００２０】  次に、この娯楽道具１に使用方向について、図１，５を用いて以下に説明する。【００２１】  まず、図１に示す状態の娯楽道具１を手のひらで持つ。そして、娯楽道具１の側壁部３を４方向（四方）から内面５方向に折曲させ（図５参照）、その形状の状態で手で覆う。【００２２】  そして、「ごまをする」相手に対し、娯楽道具１を覆った手をひろげることで、強制的に折曲させた娯楽道具１の側壁部３はもとにもどろうとする方向に力がはたらき、図１に示すもとの形状にもどる。【００２３】  上記したように、本実施の形態にかかる娯楽道具１によれば、少なくとも側壁部３には弾性材が含まれ、その形状が可変自在であるので、娯楽道具１の形状を可変させたとしても、その可変状態を解放することで、もとの形状にもどすことができる。そのため、娯楽道具１を小型化して携帯することができる。【００２４】  また、底部２は、側壁部３より硬く形成されるので、実際に娯楽道具１を用いて「ごまをする」際に、ゴマをすっているような音声を発することができる。また、硬く形成された底部２の位置により直視せずに娯楽道具１の配置状態を理解することができる。【００２５】  また、底部２と側壁部３とは同一材料である塩化ビニルからなるので、娯楽道具１を製造する際、底部２と側壁部３との接着強度を強化させることができる。【００２６】  なお、本実施の形態では、弾性材として塩化ビニルを用いているが、これに限定されるものではなく、少なくとも側壁部３の形状が可変自在となる材料であればよく、例えば、ゴムを用いてもよい。【００２７】  また、本実施の形態では、底部２と側壁部３に同一材料の塩化ビニルを用いているが、これに限定されるものではなく、少なくとも側壁部３に弾性材である塩化ビニルを用いていれば、底部２に異なる材料を用いてもよい。【００２８】  また、本実施の形態では、側壁部３自体を塩化ビニルを用いて成形させているが、これに限定されるものではなく、側壁部３の形状が可変自在であれば、側壁部３の一部に弾性材の塩化ビニルが含まれる構成であってもよい。【００２９】  また、本実施の形態では、底部２に用いる塩化ビニルは、側壁部３に用いる塩化ビニルより硬化させているが、これに限定されるものではなく、底部２が側壁部３より硬く形成されていることが好ましい形態である。そのため、例えば、底部２にコルクなどの他の硬い材料を用いてもよい。【００３０】  また、本実施の形態では、底部２と側壁部３に同一材料の塩化ビニルを用いているが、これに限定されるものではなく、すり鉢形状の底部２の内面５側を他の材料によりコーティングして「ごますり」行為による内面５の劣化を防止してもよい。または、すり鉢形状の内面５側を他の材料によりコーティングすることで、更に「ごますり」行為による内面５の劣化を防止するのに好ましい形態となる。【００３１】  また、本実施の形態では、底部２と側壁部３との内面５には、図１，２に示すようなすり鉢状の凹凸６が形成されているが、凹凸６の形状は図１，２に示す形状に限定されるものではなく、任意に意匠を変更してもよい。また、必ずしも凹凸６に形成しなくてもよく、内面５を凹凸を形成しないなどの任意に意匠を変更してもよい。【００３２】  また、本実施の形態では、底部２の底面が円形に形成されているが、これに限定されるものではなく、底部２の底面の外周縁４から側壁部３が立ち上がるように一体形成されていれば任意の形状に形成してもよい。例えば、底部２の底面が正方形や長方形に形成されもよい。【００３３】  また、本実施の形態では、底部２と側壁部３とが一体形成されているが、これに限定されるものではなく、この形状は好適な例であり、底部２と側壁部３とが個別に形成され、夫々の部材の形成後に、一体的に形成されてもよい。【００３４】  また、本実施の形態では、側壁部３を４方向から内面５方向に折曲させているが、これに限定されるものではなく、側壁部３を内面５方向に折曲げる方法であれば任意の方法で折曲させてもよい。【００３５】  さらに、本発明は、その精神または主要な特徴から逸脱することなく、他のいろいろな形で実施することができる。そのため、上述の実施の形態はあらゆる点で単なる例示にすぎず、限定的に解釈してはならない。本発明の範囲は特許請求の範囲によって示すものであって、明細書本文には、なんら拘束されない。さらに、特許請求の範囲の均等範囲に属する変形や変更は、全て本発明の範囲内のものである。
【産業上の利用可能性】
【００３６】  本発明は、特に、すり鉢を対象とする玩具や奇術道具などに好適である。
【図面の簡単な説明】
【００３７】
【図１】  本実施の形態にかかるすり鉢形状の娯楽道具の斜視図である。
【図２】  本実施の形態にかかるすり鉢形状の娯楽道具の平面図である。
【図３】  本実施の形態にかかるすり鉢形状の娯楽道具の側面図である。
【図４】  本実施の形態にかかるすり鉢形状の娯楽道具の底面図である。
【図５】  本実施の形態にかかる、側壁部を可変させた状態のすり鉢形状の娯楽道具の斜視図である。
【符号の説明】
【００３８】１  すり鉢形状の娯楽道具
２  底部
２Ａ  領域
３  側壁部
４  外周縁
５  内面
６  凹凸
【図１】
2008200456.tif 000003
【図２】
2008200456.tif 000004
【図３】
2008200456.tif 000005
【図４】
2008200456.tif 000006
【図５】
2008200456.tif 000007